(57)【要約】【課題】サスペンションのダンパとスプリングをサスペンションハウジングに支持させつつ、該サスペンションハウジングの内倒れ変形を効果的に抑制する。【解決手段】ホイールハウス２４、サイドフレーム６、ダンパ４１とスプリング４４を有するサスペンション４０、及び、サイドフレーム６とホイールハウス２４とを連結するサスペンションハウジング５０を備えた車両の後部車体構造において、サスペンションハウジング５０に、ダンパ４１を支持する支持部５２と、サイドフレーム６よりも車体幅方向外側且つサイドフレーム６の下端よりも車体上方側においてスプリング４４の上端部を支持するスプリング受部７２とを設け、スプリング受部７２の車体下方側に、サイドフレーム６とスプリング受部７２とを連結する連結部１０１，１０２を設ける。【選択図】図１２
2018162038.tif 000002
【特許請求の範囲】
【請求項１】
車体後部の側面部に設けられたホイールハウスと、
前記ホイールハウスの車体幅方向内側において車体前後方向に延びるサイドフレームと、
前記サイドフレームの車体幅方向外側において車体上下方向に延びるダンパ、及び、該ダンパを取り巻くように配置されたスプリングを有するサスペンションと、
前記ダンパを支持する支持部を有し、前記サイドフレームと前記ホイールハウスとを連結するサスペンションハウジングと、を備えた車両の後部車体構造であって、
前記サスペンションハウジングは、前記サイドフレームよりも車体幅方向外側且つ前記サイドフレームの下端よりも車体上方側において前記スプリングの上端部を支持するスプリング受部を有し、
前記スプリング受部の車体下方側に、前記サイドフレームと前記スプリング受部とを連結する連結部が設けられていることを特徴とする車両の後部車体構造。
【請求項２】
前記スプリング受部の下面は、略円形の輪郭を有し、
前記スプリング受部には、前記ダンパを挿通させるための貫通穴が設けられていることを特徴とする請求項１に記載の車両の後部車体構造。
【請求項３】
前記サスペンションは、前記支持部よりも車体下方側に配置されたバンプストッパを有し、
前記サスペンションハウジングは、前記支持部から車体下方側に延びて前記バンプストッパを包囲するように配置された周壁部を有し、
前記スプリング受部は、前記周壁部の下縁から径方向外側にフランジ状に拡がるように設けられていることを特徴とする請求項１または請求項２に記載の車両の後部車体構造。
【請求項４】
前記サスペンションハウジングは、前記スプリング受部の周縁部に沿って断続的又は連続的に延びる高剛性部を備えていることを特徴とする請求項１から請求項３のいずれか１項に記載の車両の後部車体構造。
【発明の詳細な説明】
【技術分野】
【０００１】
本発明は、サスペンションハウジングを備えた車両の後部車体構造に関し、車体の生産技術分野に属する。
【背景技術】
【０００２】
特許文献１に開示されているように、車体後部には、車体前後方向に延びるサイドフレームと、後輪を収容するホイールハウスとに跨がって、サスペンションのダンパを支持する支持部を有するサスペンションハウジングが設けられることがある。
【０００３】
一般に、ダンパは、車体上方側に向かって車体幅方向内側に傾斜して配置されるため、後輪のバンプ時にダンパからサスペンションハウジングに入力される荷重には、車体幅方向の内向きの成分が含まれる。そのため、サスペンションハウジングには、支持部が車室内側に倒れるような変形（以下、「内倒れ変形」という）が生じやすくなる。
【０００４】
そのため、従来のサスペンションハウジングでは、例えば特許文献１に開示されたような放射状のリブを支持部に設けるなど、サスペンションハウジングの内倒れ変形を抑制するための様々な補強対策が行われている。
【先行技術文献】
【特許文献】
【０００５】
【特許文献１】特開２００９−１３７３７４号公報
【発明の概要】
【発明が解決しようとする課題】
【０００６】
ところで、車両用のサスペンションとしては、ダンパと同軸上にスプリングが配置されるタイプのものが知られている。この種のサスペンションが搭載された車体後部において、サスペンションのダンパに加えてスプリングもサスペンションハウジングに支持させることが考えられる。
【０００７】
しかしながら、この場合、ダンパからの荷重に加えて、スプリングからの荷重もサスペンションハウジングに入力されるため、サスペンションハウジングの内倒れ変形を抑制するための更なる対策が必要になる。
【０００８】
そこで、本発明は、サスペンションのダンパとスプリングをサスペンションハウジングに支持させつつ、該サスペンションハウジングの内倒れ変形を効果的に抑制することを課題とする。
【課題を解決するための手段】
【０００９】
前記課題を解決するため、本発明に係る車両の後部車体構造は次のように構成したことを特徴とする。
【００１０】
本願の請求項１に記載の発明は、
車体後部の側面部に設けられたホイールハウスと、
前記ホイールハウスの車体幅方向内側において車体前後方向に延びるサイドフレームと、
前記サイドフレームの車体幅方向外側において車体上下方向に延びるダンパ、及び、該ダンパを取り巻くように配置されたスプリングを有するサスペンションと、
前記ダンパを支持する支持部を有し、前記サイドフレームと前記ホイールハウスとを連結するサスペンションハウジングと、を備えた車両の後部車体構造であって、
前記サスペンションハウジングは、前記サイドフレームよりも車体幅方向外側且つ前記サイドフレームの下端よりも車体上方側において前記スプリングの上端部を支持するスプリング受部を有し、
前記スプリング受部の車体下方側に、前記サイドフレームと前記スプリング受部とを連結する連結部が設けられていることを特徴とする。
【００１１】
請求項２に記載の発明は、前記請求項１に記載の発明において、
前記スプリング受部の下面は、略円形の輪郭を有し、
前記スプリング受部には、前記ダンパを挿通させるための貫通穴が設けられていることを特徴とする。
【００１２】
請求項３に記載の発明は、前記請求項１又は請求項２に記載の発明において、
前記サスペンションは、前記支持部よりも車体下方側に配置されたバンプストッパを有し、
前記サスペンションハウジングは、前記支持部から車体下方側に延びて前記バンプストッパを包囲するように配置された周壁部を有し、
前記スプリング受部は、前記周壁部の下縁から径方向外側にフランジ状に拡がるように設けられていることを特徴とする。
【００１３】
請求項４に記載の発明は、前記請求項１から請求項３のいずれか１項に記載の発明において、
前記サスペンションハウジングは、前記スプリング受部の周縁部に沿って断続的又は連続的に延びる高剛性部を備えていることを特徴とする。
【００１４】
なお、本明細書でいう「高剛性部」とは、その周囲の部分に比べて変形し難くなるように構成された部分を意味する。「高剛性部」の具体例としては、凸部、凹部、リブ、或いは、厚肉部などが挙げられる。
【発明の効果】
【００１５】
請求項１に記載の発明によれば、サスペンションのダンパを支持するサスペンションハウジングにスプリング受部が設けられていることにより、該スプリング受部によって、サスペンションのスプリングの上端側を支持できる。また、スプリング受部は、その車体下方側に設けられた連結部によってサイドフレームに連結されているため、スプリング受部とサイドフレームの挙動の一体化を図ることができる。したがって、サスペンションのスプリングからスプリング受部に荷重が入力されたとき、サイドフレームに対するスプリング受部の相対変位が抑制されることで、サスペンションハウジングの内倒れ変形を効果的に抑制することができる。
【００１６】
請求項２に記載の発明によれば、スプリング受部においてスプリングからの荷重を受ける部分が、貫通穴の外周部からスプリング受部の外周部に亘る環状部分で構成されることにより、スプリング受部の面積の最小化を図ることができ、これにより、スプリング受部の面剛性の向上、ひいては、スプリング受部によるスプリングの支持強度の向上を図ることができる。
【００１７】
請求項３に記載の発明によれば、サスペンションハウジングの周壁部にサスペンションのバンプストッパを収容できるため、サスペンションの専用部品として従来から用いられているバンプストッパハウジングを省略することができる。
【００１８】
また、スプリング受部と支持部が周壁部を介して相互に連結されていることにより、スプリング受部及び支持部の面剛性の向上を図ることができる。さらに、スプリングからスプリング受部に入力された荷重が周壁部を経由して車体上方側へ分散されることにより、スプリング受部への応力の集中を抑制できる。したがって、スプリング受部の局所変形が抑制されることで、スプリング受部によるスプリングの支持強度の更なる向上を図ることができる。
【００１９】
請求項４に記載の発明によれば、スプリング受部の面剛性が、その周縁部に沿った高剛性部によって高められているため、スプリング受部によるスプリングの支持強度の更なる向上を図ることができる。
【図面の簡単な説明】
【００２０】
【図１】本発明の一実施形態に係る車両の後部車体構造を車室内側から見た斜視図。
【図２】同後部車体構造を車室外側から見た側面図。
【図３】同後部車体構造を車体前方側から見た図１のＡ−Ａ線断面図。
【図４】サスペンションハウジングを車室内側の斜め上方から見た斜視図。
【図５】サスペンションハウジングを車室外側の斜め下方から見た斜視図。
【図６】サスペンションハウジングを車室外側から見た側面図。
【図７】サスペンションハウジングを車体上方側から見た図６のＢ−Ｂ線断面図。
【図８】サスペンションハウジングの一部を車体下方側から見た底面図。
【図９】サスペンションハウジングを車体前方側から見た図６のＣ−Ｃ線、Ｄ−Ｄ線、Ｅ−Ｅ線の各断面図。
【図１０】サスペンションハウジングを車体後方側から見た図６のＦ−Ｆ線断面図。
【図１１】サスペンションハウジングとホイールハウスインナとの接合部及びその周辺部を車室外側の斜め下方から見た斜視図。
【図１２】サスペンションハウジングとサイドフレームとの連結部及びその周辺部を車室外側の斜め前方から見た斜視図。
【図１３】サスペンションハウジング及びその周辺部を車体上方側から見た平面図。
【図１４】サスペンションハウジングの後側荷重伝達部及びその周辺部を車室内側の斜め後方から見た斜視図。
【図１５】同後側荷重伝達部及びその周辺部を車体上方側から見た図１のＧ−Ｇ線断面図。
【図１６】同後側荷重伝達部及びその周辺部を車体前方側から見た図１のＨ−Ｈ線断面図。
【図１７】変形例に係るサスペンションハウジングとサイドフレームとの連結部及びその周辺部を車室外側の斜め前方から見た斜視図。
【発明を実施するための形態】
【００２１】
以下、添付図面を参照しながら、本発明の一実施形態に係る車両の後部車体構造を説明する。なお、添付図面の各図には、車体幅方向の一方側（車体右側）の車体構造が図示されているが、他方側（車体左側）も同様に構成されている。また、添付図面の各図において、前／後、内／外、及び、上／下で記された方向は、それぞれ、車体前後方向、車体幅方向、及び、車体上下方向を示している。
【００２２】
［全体構成］
図１及び図２に示すように、本実施形態に係る車両の後部車体構造を有する自動車１は、車室内空間の床部を構成するフロアパネル２と、フロアパネル２の車体幅方向外側縁部に沿って車体前後方向に延びるサイドフレーム６と、ルーフパネル（図示せず）の車体幅方向外側縁部に沿って車体前後方向に延びるルーフサイドレール１０と、ルーフサイドレール１０から車体下方側に延びる複数のピラー部１２，１４とを備えている。
【００２３】
サイドフレーム６、ルーフサイドレール１０及び各ピラー部１２，１４は、それぞれ左右一対設けられているが、添付図面の各図では車体右側のもののみが図示されている。
【００２４】
フロアパネル２には、車体前方側部分の床面に比べて車体後方側部分の床面を高くする段差が形成されるように傾斜部３が設けられている。これにより、乗員の居室空間の床面に比べて、その車体後方側の荷室空間の床面が高く配置されている。フロアパネル２には、傾斜部３よりも車体後方側部分、すなわち荷室空間の床部を構成する部分において、車体下方側に膨出したタイヤパン４が設けられている。
【００２５】
サイドフレーム６には、フロアパネル２の傾斜部３に合わせて、車体後方側に向かって車体上方側に傾斜したキックアップ部７が設けられている。左右のサイドフレーム６間には、車体幅方向に延びるクロスメンバ５が架設されている。クロスメンバ５の車体幅方向端部は、サイドフレーム６におけるキックアップ部７の後端部に連結されている。
【００２６】
クロスメンバ５は、フロアパネル２に沿って配置されており、クロスメンバ５とフロアパネル２との間には、車体幅方向に連続する閉断面が形成されている。これにより、左右のサイドフレーム６間での荷重伝達を、クロスメンバ５を介して効果的に行うことが可能となっている。
【００２７】
図３の断面図に示すように、サイドフレーム６は、相互に接合されたアッパフレーム部材８及びロアフレーム部材９を備えている。アッパフレーム部材８及びロアフレーム部材９は、例えば、鋼板等の金属板をプレス成形してなるものである。
【００２８】
アッパフレーム部材８は、サイドフレーム６の上面を構成する上壁部８ａ、上壁部８ａの車体幅方向内側縁部から車体下方側に延びる内側壁部８ｂ、内側壁部８ｂの下縁部から車体幅方向内側に延びるフランジ部８ｃ、及び、上壁部８ａの車体幅方向外側縁部から車体上方側に延びる外側壁部８ｄを備えている。
【００２９】
ロアフレーム部材９は、アッパフレーム部材８の上壁部８ａの車体下方側に対向配置されてサイドフレーム６の下面を構成する下壁部９ａ、下壁部９ａの車体幅方向内側縁部から車体上方側に延びる内側壁部９ｂ、内側壁部９ｂの上縁部から車体幅方向内側に延びるフランジ部９ｃ、及び、下壁部９ａの車体幅方向内側縁部から車体上方側に延びる外側壁部９ｄを備えている。
【００３０】
ロアフレーム部材９のフランジ部９ｃは、アッパフレーム部材８のフランジ部８ｃの下面にフロアパネル２を挟んで重ねられている。アッパフレーム部材８のフランジ部８ｃ、フロアパネル２、及びロアフレーム部材９のフランジ部９ｃは、３枚重ねの状態で例えば溶接によって相互に接合されている。
【００３１】
ロアフレーム部材９の外側壁部９ｄは、アッパフレーム部材８の外側壁部８ｄ及び内側壁部８ｂ、並びにロアフレーム部材９の内側壁部９ｂに対して、これらの車体幅方向外側に対向配置されている。外側壁部９ｄの上縁部は、アッパフレーム部材８の外側壁部８ｄの車体幅方向外側の面に重ねられており、該外側壁部８ｄに例えば溶接によって接合されている。
【００３２】
以上のように構成されたサイドフレーム６では、アッパフレーム部材８とロアフレーム部材９との間に、車体前後方向に連続する閉断面が形成されている。
【００３３】
複数のピラー部としては、図示を省略したＡピラー（フロントピラー）及びＢピラー（センタピラー）、並びに、図１及び図２に示すＣピラー（クォータピラー）１２及びＤピラー（リヤピラー）１４が、車体前方側からこの順で配置されている。図１及び図２に示すように、Ｃピラー１２とＤピラー１４との間にはクォータウインドウ１６が設けられ、Ｃピラー１２とＢピラー（図示せず）との間には後席乗降用のリヤドア開口部１８が設けられている。
【００３４】
自動車１は、リヤドア開口部１８の車体後方側に隣接する部分において車体の側面部を構成するサイドパネル２０と、該サイドパネル２０の下縁に沿って設けられた後輪用のホイールハウス２４とを備えている。サイドパネル２０及びホイールハウス２４の前下端部は、車体前後方向に延びるサイドシル３０（図１参照）の後端部に接続されている。
【００３５】
サイドパネル２０は、車体上下方向に連ねて配設されたアッパパネル２１とロアパネル２２とを備えている。アッパパネル２１の下端部とロアパネル２２の上端部とは、例えば溶接によって相互に接合されている。
【００３６】
ホイールハウス２４は、サイドパネル２０から車体幅方向外側に膨出するホイールハウスアウタ２５（図２参照）と、サイドパネル２０から車体幅方向内側に膨出するホイールハウスインナ２６（図１参照）とを備えている。
【００３７】
ホイールハウスアウタ２５及びホイールハウスインナ２６は、例えば、鋼板等の金属板をプレス成形してなるものである。図３に示すように、ホイールハウスアウタ２５は、例えば、サイドパネル２０のロアパネル２２と一体に設けられている。ホイールハウスインナ２６は、ロアパネル２２の車室内側の面に例えば溶接によって接合されている。
【００３８】
図２に示すように、Ｃピラー１２は、車体上下方向に延びるアウタピラー部材３２を備えている。アウタピラー部材３２は、車体幅方向内側に開放した例えば断面ハット状の部材である。アウタピラー部材３２は、その開放部がサイドパネル２０によって塞がれるように配置されており（図１参照）、例えば溶接によってサイドパネル２０の車室外側の面に接合されている。これにより、Ｃピラー１２では、アウタピラー部材３２とサイドパネル２０との間において、車体上下方向に連続する閉断面が形成されている。
【００３９】
アウタピラー部材３２の上端部は、例えば溶接によってルーフサイドレール１０に接合され、アウタピラー部材３２の下端部は、例えば溶接によってホイールハウスアウタ２５の上面部に接合されている。これにより、Ｃピラー１２は、ホイールハウス２４とルーフサイドレール１０とを連結しており、これらの間での荷重伝達機能を担っている。
【００４０】
また、サイドパネル２０の車室外側の面には、Ｃピラー１２よりも車体後方側において車体上下方向に延びる外側補強部材３４が、例えば溶接によって接合されている。外側補強部材３４は、車体幅方向内側に開放した断面ハット状の部材であり、サイドパネル２０との間で車体上下方向に連続する閉断面を形成している。
【００４１】
外側補強部材３４は、その下端部においてホイールハウスアウタ２５の上面部に例えば溶接によって接合され、上端部においてＤピラー１４に例えば溶接によって接合されている。このようにしてホイールハウスアウタ２５とＤピラー１４とを連結する外側補強部材３４は、ホイールハウス２４とＤピラー１４との間での荷重伝達機能を果たす荷重伝達部材である。
【００４２】
［ホイールハウスインナ］
図１及び図３に示すように、ホイールハウスインナ２６は、サイドフレーム６の車体幅方向外側に隣接して配置された車体側面視略半円状の縦壁部２６ａと、該縦壁部２６ａの周縁部から車体幅方向外側に向かって延びる周壁部２６ｂと、該周壁部２６ｂの車体幅方向外側の周縁部から径方向外側に拡がるフランジ部２６ｃとを備えている。フランジ部２６ｃは、例えば溶接によってロアパネル２２に接合されている。
【００４３】
ホイールハウスインナ２６の縦壁部２６ａにおける車体前後方向中央部には、車体幅方向外側に凹んだ窪み部２６ｄが、車体上下方向に延びる溝状に形成されている。縦壁部２６ａの下縁部には切欠２６ｅ（図１１及び図１２参照）が設けられている。なお、図１１及び図１２では、サスペンション４０の図示が省略されている。
【００４４】
ホイールハウスインナ２６には、前記切欠２６ｅを車体幅方向内側から塞ぐようにサスペンションハウジング５０が接合されている。サスペンションハウジング５０の構成については後に説明する。
【００４５】
図１及び図１４に示すように、ホイールハウスインナ２６には、車体上方側且つ車体幅方向外側に向かって延びる荷重伝達部２７が設けられている。荷重伝達部２７は、縦壁部２６ａ及び周壁部２６ｂから車室内側に膨出するようにホイールハウスインナ２６と一体に設けられている。
【００４６】
荷重伝達部２７は、縦壁部２６ａの窪み部２６ｄよりも車体後方側に配置されている。荷重伝達部２７は、縦壁部２６ａの車体上下方向中間部から車体上方側に向かって縦壁部２６ａと周壁部２６ｂとの間のコーナ部まで縦壁部２６ａに沿って延び、さらに、前記コーナ部から車体幅方向外側に向かってフランジ部２６ｃまで周壁部２６ｂに沿って延びている。荷重伝達部２７の車体前後方向の幅は、その上端側に向かうに従って次第に大きくなっている。
【００４７】
図１５の断面図に示すように、荷重伝達部２７は、例えば、車室外側に向かって開放した断面ハット状である。荷重伝達部２７は、その長さ方向の略全長に亘って同様の断面形状を有する。すなわち、荷重伝達部２７は、車体上下方向に連続して開断面状に形成されている。
【００４８】
荷重伝達部２７は、前面部２７ａ、側面部２７ｂ及び後面部２７ｃを有する。前面部２７ａは側面部２７ｂの前縁部から、後面部２７ｃは側面部２７ｂの後縁部からそれぞれ車体幅方向外側に延びるように設けられている。
【００４９】
前面部２７ａは、車体幅方向外側に向かって車体前方側に傾斜して配置され、後面部２７ｃは、車体幅方向外側に向かって車体後方側に傾斜して配置されている。側面部２７ｂと前面部２７ａとの間、及び、側面部２７ｂと後面部２７ｃとの間には、それぞれ鈍角のコーナ部が形成されている。これにより、荷重伝達部２７の断面形状は、車体幅方向外側に向かって拡開した形状となっている。
【００５０】
図１に示すように、荷重伝達部２７の上端部は、サイドパネル２０を挟んで外側補強部材３４の下端部に対向配置されている。これにより、荷重伝達部２７と外側補強部材３４がサイドパネル２０を介して相互に連結されていることで、ホイールハウスインナ２６から外側補強部材３４への効果的な荷重伝達が可能となっている。
【００５１】
［サイドブレース］
ホイールハウスインナ２６の窪み部２６ｄよりも車体前方側には、クロスメンバ５とＣピラー１２とを連結させるサイドブレース３６が配設されている。サイドブレース３６は、クロスメンバ５の端部からＣピラー１２の下端部にかけて、ホイールハウスインナ２６の車室内側の面に沿いながら車体幅方向外側且つ車体上方側へ延びるように設けられている。
【００５２】
サイドブレース３６は、ホイールハウスインナ２６に例えば溶接によって接合された上側ブレース部材３８と、後述のサスペンションハウジング５０に一体に設けられ、上側ブレース部材３８の下端部に連結されたブレース部７７とを備えている。
【００５３】
上側ブレース部材３８は、車室外側に開放する断面ハット状の長尺部材である。上側ブレース部材３８は、例えば、ホイールハウスインナ２６よりも厚肉の鋼板からなる高剛性部材である。上側ブレース部材３８の下端部は、例えばＳＰＲ（セルフピアシングリベット）によってブレース部７７に接合され、上側ブレース部材３８の上端部は、例えば溶接によってサイドパネル２０のロアパネル２２に接合されている。
【００５４】
上側ブレース部材３８の上端部は、サイドパネル２０を挟んでアウタピラー部材３２の下端部に対向配置されている。これにより、サイドブレース３６とＣピラー１２が相互に連結されていることで、サイドブレース３６とＣピラー１２との間での荷重伝達を効果的に果たすことができる。
【００５５】
サイドブレース３６における上側ブレース部材３８よりも車体下方側部分は、サスペンションハウジング５０のブレース部７７で構成されている。ブレース部７７の構成については、サスペンションハウジング５０の構成の説明と併せて後に説明する。
【００５６】
［サスペンション］
図３に示すように、後輪用のサスペンション４０は、サイドフレーム６とホイールハウスインナ２６とを連結するように設けられた後述のサスペンションハウジング５０に支持されている。
【００５７】
サスペンション４０は、主な構成要素として、車輪と車体との間に介在されて衝撃を吸収するコイルスプリング４４、及び、車輪と車体との間で伸縮可能に設けられてコイルスプリング４４の振動を吸収するダンパ４１を備えている。
【００５８】
ダンパ４１は、サイドフレーム６の車体幅方向外側に隣接して、車体上下方向に延びるように配設されている。ダンパ４１は、ピストンロッド４２とシリンダ４３を備えている。シリンダ４３に対してピストンロッド４２が摺動することで、ダンパ４１がその軸心方向に伸縮するように構成されている。ダンパ４１の軸心は、車体上下方向に対して、車体上方側に向かって車体幅方向の内側に傾斜（オフセット）して配置されている。
【００５９】
シリンダ４３の下端部（図示せず）は、ナックル等を介して車輪に連結されている。シリンダ４３の長さ方向中間部には、ロアスプリングシート４７が取り付けられている。ロアスプリングシート４７は、例えば溶接によって、シリンダ４３の外周面に固定されている。
【００６０】
ピストンロッド４２は、シリンダ４３から車体上方側に突出して設けられている。ピストンロッド４２の上端部ないし上端近傍部にはアッパマウント４５が取り付けられている。アッパマウント４５は、サスペンションハウジング５０における後述の支持面部５２に固定されている。これにより、ダンパ４１の上端部は、アッパマウント４５及びサスペンションハウジング５０を介して車体に連結されている。
【００６１】
アッパマウント４５の車体下方側且つロアスプリングシート４７の車体上方側の位置には、アッパスプリングシートとして機能する後述のスプリング受部７２が、サスペンションハウジング５０に一体に設けられている。スプリング受部７２は、アッパマウント４５を介してピストンロッド４２に固定され、ロアスプリングシート４７は、シリンダ４３に固定されていることから、ダンパ４１の軸心方向におけるスプリング受部７２とロアスプリングシート４７との間隔は、ダンパ４１の伸縮に応じて変化するようになっている。
【００６２】
コイルスプリング４４は、ダンパ４１を取り巻くように、該ダンパ４１と概ね同軸上に配置されている。なお、コイルスプリング４４の荷重軸は、ダンパ４１の軸心に対して必ずしも一致していなくてもよく、ダンパ４１の軸心に対して傾斜して配置されていてもよい。
【００６３】
コイルスプリング４４は、サスペンションハウジング５０のスプリング受部７２とロアスプリングシート４７との間に介装されている。コイルスプリング４４とスプリング受部７２との間には、シートラバー４６が介在されており、これにより、後輪のバンプ時における衝撃の緩和ひいては異音の低減が図られている。
【００６４】
また、サスペンション４０は、ダンパ４１の軸心上に配置されたバンプストッパ４８を有する。バンプストッパ４８は、例えば、軸方向位置に応じて外径が変化する筒状部材であり、例えばゴム又はウレタンからなる。バンプストッパ４８は、ピストンロッド４２の外側に嵌合されており、軸方向においてシリンダ４３とサスペンションハウジング５０の支持面部５２との間に配置されている。
【００６５】
［サスペンションハウジング］
図４〜図６には、サスペンションハウジング５０の全体が図示されている。サスペンションハウジング５０は、例えば、ダイカストによって成形されたアルミニウム合金製の部材である。
【００６６】
［支持面部］
サスペンションハウジング５０は、サスペンション４０のダンパ４１を支持する支持面部５２を備えている。支持面部５２は、車体上下方向に交差するように配置された板状部である。支持面部５２は、車体幅方向の幅に比べて車体前後方向の幅が大きくなるような細長い形状を有する。支持面部５２の車体幅方向の幅は、該支持面部５２の車体前後方向の中央において最大とされ、車体前方側及び車体後方側の端部に向かってそれぞれ次第に小さくなっている。
【００６７】
支持面部５２の車体前後方向中央部には、ダンパ４１のピストンロッド４２を挿通させるための貫通穴５３が設けられている。また、支持面部５２には、複数のボルト挿通穴５４，５５が設けられている。ボルト挿通穴５４，５５は、例えば、貫通穴５３よりも車体前方側及び車体後方側に１つずつ設けられている。貫通穴５３及び前後一対のボルト挿通穴５４，５５は、支持面部５２の長さ方向に間隔を空けて並んで配置されている。
【００６８】
図３に示すように、支持面部５２は、サイドフレーム６よりも車体幅方向外側且つ車体上方側において、ダンパ４１の軸心に直交するように配置されている。支持面部５２の上面には、サスペンション４０のアッパマウント４５が取り付けられている。アッパマウント４５は、例えば、ボルト挿通穴５４，５５に挿通されたボルト４９（図１３及び図１４参照）によって、支持面部５２に固定されている。ボルト４９による締結部は、ダンパ４１の車体前方側及び車体後方側にそれぞれ設けられている。ダンパ４１は、アッパマウント４５を介して支持面部５２に固定されている。
【００６９】
図３〜図６に示すように、サスペンションハウジング５０は、支持面部５２における車体幅方向外側の縁部から車体上方側に立ち上がってホイールハウスインナ２６に連結される上側接合面部６９を備えている。上側接合面部６９は、車体前後方向に間隔を空けて配置された複数の接合部Ｒ１，Ｒ２，Ｒ３，Ｒ４（図１１参照）において、例えばＳＰＲによってホイールハウスインナ２６における切欠２６ｅの上側周縁部に接合されている。
【００７０】
［接続部］
また、サスペンションハウジング５０は、支持面部５２をサイドフレーム６に接続させる接続部５６を備えている。接続部５６は、車体幅方向に交差するように配置されてサイドフレーム６に連結される下側接合面部５８、下側接合面部５８の上縁部から車体幅方向外側に延びる中段床部５９、及び、中段床部５９の車体幅方向外側の縁部から車体上方側に向かって支持面部５２の車体幅方向内側の縁部まで延びる縦壁部６０を有する。
【００７１】
図９（ａ）、図９（ｂ）、及び図９（ｃ）は、それぞれ、サスペンションハウジング５０を車体前方側から見た図６のＣ−Ｃ線断面図、Ｄ−Ｄ線断面図、及びＥ−Ｅ線断面図である。図９（ａ）〜図９（ｃ）に示すように、車体前後方向から見たサスペンションハウジング５０の断面形状は、下側接合面部５８から中段床部５９、縦壁部６０及び支持面部５２を経由して上側接合面部６９に至る部分において、車体幅方向外側に向かうに従って高くなる階段状となっている。
【００７２】
図４〜図６に示すように、下側接合面部５８は、車体前後方向に延びるように帯状に形成されている。下側接合面部５８の下縁は、波状に蛇行しながら車体前後方向に延設されている。下側接合面部５８は、サイドフレーム６の外側壁部８ｄの車室内側の面に重ねて配置され（図３参照）、長さ方向に間隔を空けた複数箇所において例えばＳＰＲによってサイドフレーム６に接合される。
【００７３】
車体前後方向において、下側接合面部５８は、支持面部５２よりも長く形成されている。下側接合面部５８の前端は、支持面部５２の前端よりも車体前方側に位置し、下側接合面部５８の後端は、支持面部５２の後端よりも車体後方側に位置している。
【００７４】
中段床部５９は、車体前後方向に延びるように細長く形成されている。中段床部５９の車体幅方向内側の縁部は、車体上下方向から見て、車体幅方向の内側に向かって僅かに膨出するような円弧状に形成されている。
【００７５】
図３に示すように、中段床部５９は、車体幅方向外側に向かって僅かに車体上方側に傾斜して配置されている。中段床部５９と下側接合面部５８との間には、鈍角のコーナが形成されている。
【００７６】
図４に示すように、縦壁部６０の車体前後方向中央部は、支持面部５２から車体下方側に延びる周壁部６２の車体幅方向内側端部で構成されており、縦壁部６０における周壁部６２よりも車体前方側及び車体後方側の各部は、平板状に形成されている。
【００７７】
［周壁部］
図４〜図７に示すように、周壁部６２は、車体上下方向に延びる円筒状とされている。図８に示すように、周壁部６２の内周面は、支持面部５２の貫通穴５３よりも大径とされ、軸方向から見て該貫通穴５３と同心円状に配置されている。
【００７８】
図３に示すように、周壁部６２は、支持面部５２の車体下方側に配置されたサスペンション４０のバンプストッパ４８を包囲するように配置されている。このようにして周壁部６２内にバンプストッパ４８が収容されることで、バンプストッパ４８を異物や水などから保護できる。
【００７９】
図４〜図７に示すように、サスペンションハウジング５０には、周壁部６２の車体前方側において前壁部６３、周壁部６２の車体後方側において後壁部６４がそれぞれ設けられている。前壁部６３及び後壁部６４は、それぞれ、車体前後方向に交差するように配置された平板状の壁部であり、支持面部５２から車体下方側に延びるように設けられている。
【００８０】
図７に示すように、前壁部６３は、周壁部６２の軸方向から見て該周壁部６２の前端における接線方向に沿って配置されており、後壁部６４は、周壁部６２の軸方向から見て該周壁部６２の後端における接線方向に沿って配置されている。
【００８１】
［スプリング受部］
図５に示すように、サスペンションハウジング５０には、前述のスプリング受部７２が、中段床部５９から車体幅方向外側に突出して設けられている。スプリング受部７２は、周壁部６２の下端部に設けられている。より具体的に、スプリング受部７２は、周壁部６２の下縁から径方向外側にフランジ状に拡がるように設けられている。これにより、スプリング受部７２の中央部には、周壁部６２の内周面で構成された貫通穴が形成されており、該貫通穴に、ダンパ４１のピストンロッド４２が挿通される（図３参照）。
【００８２】
図３に示すように、スプリング受部７２は、サイドフレーム６よりも車体幅方向外側且つ車体上方側に配置されており、サスペンション４０のコイルスプリング４４の上端部を、例えばシートラバー４６を介して支持している。このように、本実施形態のサスペンションハウジング５０は、支持面部５２によってダンパ４１を支持するだけでなく、中段床部５９に設けられたスプリング受部７２を利用して、コイルスプリング４４も支持できるようになっている。
【００８３】
また、周壁部６２の下端部に設けられたスプリング受部７２が中段床部５９に連なっていることにより、周壁部６２は、その下端側において、スプリング受部７２を介して中段床部５９に連結されている。さらに、周壁部６２の上端側は支持面部５２に連結されていることから、支持面部５２と中段床部５９とは、周壁部６２を介して相互に連結されていることになる。これにより、下側接合面部５８、中段床部５９、縦壁部６０、及び支持面部５２からなる階段状断面の変形が効果的に抑制されている。
【００８４】
図５及び図８に示すように、スプリング受部７２の下面は、略円形の輪郭を有している。すなわち、スプリング受部７２においてコイルスプリング４４からの荷重を受ける部分は、前記貫通穴の外周部からスプリング受部７２の外周部に亘る環状部分で構成されており、これにより、スプリング受部７２の面積の最小化が図られている。
【００８５】
スプリング受部７２の周縁部には、スプリング受部７２から車体下方側に突出した突出部７３，７４，７５が設けられている。突出部７３，７４，７５は、周方向に間隔を空けて複数設けられている。
【００８６】
複数の突出部７３，７４，７５は、例えば、スプリング受部７２の車体幅方向外側の半部の周縁に沿って連続して延びる平面視半円状の第１突出部７３、スプリング受部７２の中心よりも車体幅方向内側かつ車体前方側の部分の周縁に沿って平面視円弧状に延びる第２突出部７４、及び、スプリング受部７２の中心よりも車体幅方向内側かつ車体後方側の部分の周縁に沿って平面視円弧状に延びる第３突出部７５を有する。第１、第２、第３突出部７３，７４，７５は、周方向において互いに間隔を空けて配置されている。
【００８７】
このようにしてスプリング受部７２の周縁部に設けられた突出部７３，７４，７５は、シートラバー４６及びコイルスプリング４４の上端部を径方向に位置決めする位置決め機能を有するとともに、スプリング受部７２の面剛性を高める高剛性部としても機能する。これにより、スプリング受部７２によるコイルスプリング４４の支持強度が高められている。
【００８８】
なお、本実施形態では、上記の突出部７３，７４，７５からなる高剛性部が、スプリング受部７２の周縁部に沿って断続的に延びるように設けられているが、高剛性部は、スプリング受部７２の周縁部の全周に亘って連続的に設けられてもよい。
【００８９】
［スプリング受部とサイドフレームとの連結］
また、サスペンションハウジング５０は、スプリング受部７２をサイドフレーム６に連結させるためにスプリング受部７２から下方に突出して設けられた被連結部７３ａ，７３ｂを有する。
【００９０】
被連結部７３ａ，７３ｂは、車体前後方向に間隔を空けて前後一対設けられている。各被連結部７３ａ，７３ｂは、車体前後方向に交差するリブ状部であり、第１突出部７３の周方向端部に連ねて設けられている。また、各被連結部７３ａ，７３ｂは、第１突出部７３の下端よりも車体下方側に突出している。前側の被連結部７３ａは、第２突出部７４の車体前方側に隣接して配置されており、後側の被連結部７３ｂは、第３突出部７５の車体後方側に隣接して配置されている。
【００９１】
図１２に示すように、スプリング受部７２は、その車体下方側に設けられた上記の被連結部７３ａ，７３ｂと連結部材１０１，１０２とを介して、サイドフレーム６に連結されている。
【００９２】
連結部材１０１，１０２は、車体前後方向に間隔を空けて前後一対設けられている。これらの連結部材１０１，１０２は、例えば、鋼板等の金属板をプレス成形してなるものである。
【００９３】
各連結部材１０１，１０２は、車体前後方向に交差するように配置されてスプリング受部７２に連結される第１連結面部１０３、車体幅方向に交差するように配置されてサイドフレーム６の車体幅方向外側に連結される第２連結面部１０４、及び、車体上下方向に交差するように配置されてサイドフレーム６の車体下方側に連結される第３連結面部１０５を有する。
【００９４】
第２連結面部１０４は、サイドフレーム６の車体幅方向外側の面に例えば溶接によって接合されている。第３連結面部１０５は、第２連結面部１０４の下縁部から車体幅方向内側に延びるように設けられ、サイドフレーム６の車体下方側の面に例えば溶接によって接合されている。
【００９５】
前側の連結部材１０１において、第１連結面部１０３は、第２連結面部１０４の前縁部から車体幅方向外側に延びるように設けられている。第１連結面部１０３は、車体前後方向から見て、例えば、車体下方側に向かって先細りする三角形状とされている。第１連結面部１０３の上端部は、サスペンションハウジング５０の前側の被連結部７３ａの例えば車体後方側の面に、例えばＳＰＲによって接合されている。
【００９６】
後側の連結部材１０２において、第１連結面部１０３は、第２連結面部１０４の後縁部から車体幅方向外側に延びるように設けられている。第１連結面部１０３は、車体前後方向から見て、例えば、車体下方側に向かって先細りする三角形状とされている。第１連結面部１０３の上端部は、サスペンションハウジング５０の後側の被連結部７３ｂの例えば車体前方側の面に、例えばＳＰＲによって接合されている。
【００９７】
各連結部材１０１，１０２は、第１連結面部１０３における車体幅方向外側縁部に連なるフランジ部１０６を更に有する。前側の連結部材１０１におけるフランジ部１０６は、第１連結面部１０３から車体前方側に延びるように設けられ、後側の連結部材１０２におけるフランジ部１０６は、第１連結面部１０３から車体後方側に延びるように設けられている。各フランジ部１０６の下端部は、第３連結面部１０５に連なっている。
【００９８】
なお、前後の連結部材１０１，１０２は、第２連結面部１０４同士、又は第３連結面部１０５同士の少なくとも一方が連なるように、一体に設けられてもよい。
【００９９】
上記のように、スプリング受部７２は、被連結部７３ａ，７３ｂ及び連結部材１０１，１０２を介してサイドフレーム６に連結されていることにより、サスペンション４０のコイルスプリング４４（図３参照）から荷重が入力されたときの挙動に関して、サイドフレーム６との一体化が図られている。
【０１００】
［縦壁部の高剛性部］
図４及び図７に示すように、縦壁部６０には、周壁部６２の前端部に沿って車体上下方向に延びる溝状の前側窪み部６７、及び、周壁部６２の後端部に沿って車体上下方向に延びる溝状の後側窪み部６８が設けられている。前側窪み部６７及び後側窪み部６８は、それぞれ縦壁部６０の全高に亘って設けられている。
【０１０１】
また、縦壁部６０には、縦壁部６０における前側窪み部６７よりも車体前方側部分から車体幅方向内側に突出した前側リブ６５、及び、縦壁部６０における後側窪み部６８よりも車体後方側部分から車体幅方向内側に突出した後側リブ６６が設けられている。前側リブ６５及び後側リブ６６は、それぞれ車体上下方向に延びるように設けられている。また、前側リブ６５及び後側リブ６６は、それぞれ縦壁部６０の全高に亘って設けられている。
【０１０２】
上記の窪み部６７，６８及びリブ６５，６６は、縦壁部６０において車体上下方向に延びるように設けられた高剛性部であり、これらの高剛性部によって、縦壁部６０の面剛性が高められている。
【０１０３】
図４に示すように、車体幅方向から見て、縦壁部６０における前側リブ６５の車体前後方向位置と、支持面部５２における前側のボルト挿通穴５４の車体前後方向位置とは互いに重複している。また、車体前後方向において、縦壁部６０における後側リブ６６の車体前後方向位置と、支持面部５２における後側のボルト挿通穴５５の車体前後方向位置とは互いに重複している。
【０１０４】
このように、車体幅方向から見て、縦壁部６０の各リブ６５，６６の車体前後方向位置は、ボルト４９によるアッパマウント４５の締結部（図１３及び図１４参照）の車体前後方向位置と重複している。したがって、支持面部５２においてダンパ４１からの荷重が入力される締結部及びその周辺部を、縦壁部６０におけるリブ６５，６６が設けられた部分によって効果的に支持できる。
【０１０５】
［ブレース部及び前側荷重伝達部］
サスペンションハウジング５０における支持面部５２よりも車体前方側部分には、サイドブレース３６（図１参照）の一部を構成するブレース部７７、及び、支持面部５２からブレース部７７に荷重を伝達する前側荷重伝達部８０が設けられている。
【０１０６】
ブレース部７７は、支持面部５２よりも車体前方側において車体上下方向に延びるように設けられている。ブレース部７７は、車室外側に開放した開断面部で構成されている。ブレース部７７の開口部は、ホイールハウスインナ２６によって車室外側から塞がれており（図１１参照）、これにより、ブレース部７７とホイールハウスインナ２６との間に、車体上下方向に連続する閉断面が形成されている。ブレース部７７の車体幅方向内側の側面は、車体上方側に向かって車体幅方向外側に傾斜して配置されている。
【０１０７】
図４〜図６に示すように、ブレース部７７は、車体前後方向に交差するように配置された前面部７７ａ、前面部７７ａにおける車体幅方向内側縁部から車体後方側に延びる側面部７７ｂ、及び、側面部７７ｂにおける車体後方側の縁部から車体幅方向外側に延びて前面部７７ａの車体後方側に対向配置される後面部７７ｃを有する。
【０１０８】
ブレース部７７の内部には、補強リブ７８，７９が設けられており、これにより、ブレース部７７の断面変形が抑制されている。補強リブ７８，７９は、例えば、車体上下方向に間隔を空けて配置された上側補強リブ７８及び下側補強リブ７９である。
【０１０９】
各補強リブ７８，７９は、その車体前方側縁部において前面部７７ａに、車体幅方向内側縁部において側面部７７ｂに、車体後方側縁部において後面部７７ｃに連結されている。これにより、ブレース部７７の内部空間は、各補強リブ７８，７９によって車体上下方向に仕切られている。
【０１１０】
図６に示すように、上側補強リブ７８と下側補強リブ７９は、車体前方側に向かって車体下方側に傾斜して配置されている。上側補強リブ７８と下側補強リブ７９は、車体幅方向から見て、互いに略平行に配置されている。
【０１１１】
また、図４及び図５に示すように、ブレース部７７は、側面部７７ｂの車体上方側縁部から車体幅方向外側に延びる上面部７７ｄ、上面部７７ｄの車体幅方向外側縁部から車体上方側に延びる上側フランジ部７７ｅ、上面部７７ｄの車体前方側縁部と上側フランジ部７７ｅの車体前方側縁部とに跨がる前側リブ７７ｆ、及び、上面部７７ｄの車体後方側縁部と上側フランジ部７７ｅの車体後方側縁部とに跨がる後側リブ７７ｇを有する。前側リブ７７ｆは、前面部７７ａの上端部で構成されており、後側リブ７７ｇは、後面部７７ｃの上端部で構成されている。
【０１１２】
さらに、ブレース部７７は、前面部７７ａの車体幅方向内側縁部から車体前方側に延びる前側接合面部７７ｈ、側面部７７ｂの下縁部から車体幅方向内側に延びる内側接合面部７７ｉ、及び、後面部７７ｃの下縁部から車体後方側に延びる後側接合面部７７ｊを有する。
【０１１３】
前側接合面部７７ｈは、車体上下方向に間隔を空けて配置された複数の接合部Ｒ１０，Ｒ１１，Ｒ１２，Ｒ１３（図１１参照）において、例えばＳＰＲによってホイールハウスインナ２６に接合されている。また、内側接合面部７７ｉはクロスメンバ５に、後側接合面部７７ｊはサイドフレーム６に、それぞれ例えばＳＰＲによって接合されている（図１参照）。
【０１１４】
図１に示すように、ブレース部７７の上端部には、上側ブレース部材３８の下端部が上面部７７ｄ、前側リブ７７ｆ及び後側リブ７７ｇを覆い隠すように車室内側から重ねて配置され、例えばＳＰＲによって接合されている。これにより、ブレース部７７の上端部が上側ブレース部材３８の下端部に連結されることで、上側ブレース部材３８とブレース部７７からなるサイドブレース３６が構成されている。
【０１１５】
また、ブレース部７７の下端部は、内側接合面部７７ｉにおいてクロスメンバ５に接合されることで、該クロスメンバ５の車体幅方向外側端部に連結されている。これにより、サイドブレース３６とクロスメンバ５との間での荷重伝達が可能となっている。
【０１１６】
図４及び図５に示すように、サスペンションハウジング５０において、支持面部５２と前側荷重伝達部８０との間には、車体前後方向に交差する面に沿って配置された仕切壁部７０が設けられている。
【０１１７】
仕切壁部７０を挟んだ車体前方側には、上側接合面部６９を車体前方側に延長させてなる延長面部８３が設けられている。延長面部８３は、ホイールハウスインナ２６に対して、その切欠２６ｅの前側周縁の接合部Ｒ８（図１１参照）において、例えばＳＰＲによって接合されている。
【０１１８】
仕切壁部７０は、上側接合面部６９の前縁部、支持面部５２の前縁部、及び縦壁部６０の前縁部を互いに繋ぐように設けられている。仕切壁部７０は、支持面部５２の前縁部よりも車体幅方向内側及び車体上方側にそれぞれ突出して配置されており、仕切壁部７０における支持面部５２よりも車体上方側に突出した部分は、例えば、車体上方側に向かって先細りする三角形状のリブ７０ａを構成している（図４参照）。
【０１１９】
仕切壁部７０における支持面部５２よりも車体下方側部分は、車体前後方向から見て、例えば、車体下方側に向かって先細りする三角形状に形成されている（図５参照）。仕切壁部７０の下端部は、中段床部５９の車体幅方向外側縁部に連なっている。
【０１２０】
前側荷重伝達部８０は、支持面部５２の前縁部をブレース部７７の後面部７７ｃに連結させる連結面部８１を有する。連結面部８１は、車体上下方向に交差する面に沿って配置されており、仕切壁部７０から車体前方側に延びるように設けられている。連結面部８１は、車体幅方向から見て車体前方側に向かって車体下方側に傾斜して配置されている（図６参照）。
【０１２１】
連結面部８１の車体幅方向外側縁部は、コーナ部を介して延長面部８３の下縁部に連なっている。すなわち、連結面部８１は、延長面部８３の下縁部から車体幅方向内側に延びるように設けられている。
【０１２２】
車体上下方向において、連結面部８１の後縁部は、支持面部５２と略同じ高さ位置に配置されている。すなわち、連結面部８１の後縁部は、仕切壁部７０を介して支持面部５２の前縁部に連結されている。上述のリブ７０ａは、上側接合面部６９と延長面部８３との境界部と、連結面部８１の後縁部とに跨がって設けられている。リブ７０ａの下端部は、車体幅方向において連結面部８１の後縁部の略全幅に亘って設けられている（図１３参照）。
【０１２３】
このようにして設けられたリブ７０ａ、上側接合面部６９、及び延長面部８３を介して、支持面部５２及び連結面部８１は、ホイールハウスインナ２６に効果的に支持されるとともに、支持面部５２及び連結面部８１の面剛性がリブ７０ａによって高められている。また、サスペンション４０のダンパ４１から支持面部５２に荷重が入力されたとき、支持面部５２から直接又は上側接合面部６９を介してリブ７０ａに伝達された荷重は、リブ７０ａの下端部から連結面部８１の後端部の全幅に亘って分散して入力される。
【０１２４】
さらに、前側荷重伝達部８０は、連結面部８１の車体幅方向内側縁部から車体下方側に延びる側面部８２を有する。側面部８２は、仕切壁部７０の車体幅方向内側縁部から車体前方側に延びるように設けられている。側面部８２の下縁部は、コーナ部を介して中段床部５９の車体幅方向外側縁部に連なっている。側面部８２の車体上下方向の幅は、車体前方側に向かって次第に小さくなっている。
【０１２５】
図１０に示すように、前側荷重伝達部８０は、連結面部８１と側面部８２とからなるＬ字状の開断面を形成している。すなわち、前側荷重伝達部８０は、車体前後方向に連続して開断面状に形成されている。
【０１２６】
なお、前側荷重伝達部８０で形成される断面部は、必ずしも開断面でなくてもよく、前側荷重伝達部８０の一部又は全体において、サスペンションハウジング５０と例えばホイールハウスインナ２６等の別部材との間に閉断面が形成されるようにしてもよいし、サスペンションハウジング５０単体で閉断面が形成されるようにしてもよい。
【０１２７】
サスペンションハウジング５０は、前側荷重伝達部８０においてはホイールハウスインナ２６に接合されていないが、前側荷重伝達部８０の車体上方側に隣接する上記の接合部Ｒ８においてホイールハウスインナ２６に接合されると共に、前側荷重伝達部８０の車体下方側に隣接する接合部Ｒ９においても例えばＳＰＲによってホイールハウスインナ２６に接合されている。接合部Ｒ９は、車体前後方向において側面部８２が占める領域において下側接合面部５８に設けられている。
【０１２８】
以上のように、サスペンションハウジング５０では、支持面部５２と、その車体前方側に離間して配置されたブレース部７７との間に前側荷重伝達部８０が設けられている。これにより、サスペンション４０のダンパ４１から支持面部５２に荷重が入力されたとき、支持面部５２からブレース部７７への荷重伝達を、前側荷重伝達部８０を経由させることで効果的になし得る。
【０１２９】
また、この荷重伝達が、車体前方側に向かって車体下方側に傾斜した連結面部８１を経由して行われることで、車体上下方向の下向きの成分を含む荷重をブレース部７７に入力させることができる。そのため、ブレース部７７において、その上端から下端へ向かう方向の荷重伝達を実現しやすくなることで、ブレース部７７からその下端側のクロスメンバ５への荷重伝達をスムーズに行うことができ、これにより、車体各部への荷重分散効果を高めることができる。
【０１３０】
図６に示すように、前側荷重伝達部８０の連結面部８１は、支持面部５２の前端部から、ブレース部７７の内部に設けられた上側補強リブ７８に向かって延びるように設けられている。また、上側補強リブ７８の後端部は、車体上下方向において、前側荷重伝達部８０の連結面部８１の前端部と略同じ高さ位置に配置されている。
【０１３１】
このような連結面部８１と上側補強リブ７８との位置関係により、ブレース部７７における連結面部８１からの荷重入力部は、上側補強リブ７８によって効果的に補強されている。また、上側補強リブ７８は、車体前方側に向かって車体下方側へ傾斜して配置されているため、上側補強リブ７８において、その上端から下端に向かう方向の荷重伝達をなし得る。したがって、前側荷重伝達部８０からブレース部７７に入力された荷重を、ブレース部７７においてその下端側へ効果的に伝達することができる。
【０１３２】
また、ブレース部７７の内部に設けられた下側補強リブ７９の後端部は、車体上下方向において、前側荷重伝達部８０の側面部８２の前下端部と略同じ高さ位置に配置されている。これにより、ブレース部７７において、前側荷重伝達部８０の下端部からの荷重入力部は下側補強リブ７９によって効果的に補強されている。さらに、車体前方側に向かって車体下方側へ傾斜して配置された下側補強リブ７９は、その上端から下端に向かう方向の荷重伝達をなし得る。したがって、前側荷重伝達部８０からブレース部７７を経由したクロスメンバ５への荷重伝達をより効果的に行うことができる。
【０１３３】
［後側荷重伝達部］
図４〜図６に示すように、サスペンションハウジング５０における支持面部５２よりも車体後方側部分には、サスペンション４０から支持面部５２に入力された荷重をホイールハウスインナ２６の荷重伝達部２７に伝達する後側荷重伝達部８５が設けられている。
【０１３４】
サスペンションハウジング５０において、後側荷重伝達部８５と支持面部５２との間には、車体前後方向に交差する面に沿って配置された仕切壁部７１が設けられている。
【０１３５】
仕切壁部７１は、上側接合面部６９の後縁部、支持面部５２の後縁部、及び縦壁部６０の後縁部を互いに繋ぐように設けられている。仕切壁部７１は、支持面部５２の後縁部よりも車体幅方向内側及び車体上方側にそれぞれ突出して配置されている。
【０１３６】
仕切壁部７１における支持面部５２よりも車体下方側部分は、車体前後方向から見て、例えば、車体下方側に向かって先細りする三角形状に形成されている（図５参照）。仕切壁部７１の下端部は、中段床部５９の車体幅方向外側縁部に連なっている。
【０１３７】
サスペンションハウジング５０において、支持面部５２の車体後方側には、支持面部５２を後側荷重伝達部８５に連絡させる連絡面部８４が設けられている。連絡面部８４は、車体上下方向に交差するように配置されており、仕切壁部７１から車体後方側に延びるように設けられている。車体上下方向において、連絡面部８４は、支持面部５２に対して略同じ又は車体下方側に隣接する高さ位置に配置されている。これにより、連絡面部８４は、仕切壁部７１を介して支持面部５２の車体後方側に連なっている。
【０１３８】
また、サスペンションハウジング５０において、連絡面部８４の車体後方側には、仕切壁部７１の車体後方側に対向する後壁部９２と、後壁部９２の車体幅方向外側縁部から車体後方側に延びる後側接合面部９４とが設けられている。連絡面部８４は、仕切壁部７１と後壁部９２との間に架設されている。後側接合面部９４は、車体上下方向に間隔を空けて配置された複数の接合部Ｒ５，Ｒ６，Ｒ７（図１１参照）において、例えばＳＰＲによってホイールハウスインナ２６に接合されている。
【０１３９】
さらに、サスペンションハウジング５０は、連絡面部８４の車体幅方向内側縁部から車体下方側に延びる側壁部９１を備えている。側壁部９１は、仕切壁部７１の車体幅方向内側縁部と後壁部９２の車体幅方向内側縁部との間に架設されている。側壁部９１の下端部は、中段床部５９の車体幅方向外側縁部に連なっている。
【０１４０】
上記の仕切壁部７１及び後壁部９２における連絡面部８４よりも車体下方側の各部分と、側壁部９１とは、連絡面部８４から車体下方側に延びる下側延長部９０を備えている。下側延長部９０は、車体幅方向外側に向かって開放した断面コ字状に形成されている（図７参照）。すなわち、下側延長部９０は、車体上下方向に連続して開断面状に形成されている。
【０１４１】
なお、下側延長部９０で形成される断面部は、必ずしも開断面でなくてもよく、下側延長部９０の一部又は全体において、サスペンションハウジング５０と例えばホイールハウスインナ２６等の別部材との間に閉断面が形成されるようにしてもよいし、サスペンションハウジング５０単体で閉断面が形成されるようにしてもよい。
【０１４２】
図４に示すように、下側延長部９０の車体上方側には、車体前後方向に互いに間隔を空けて対向配置された前側リブ７１ａ及び後側リブ９２ａが設けられている。各リブ７１ａ，９２ａは、例えば、車体上方側に向かって先細りする三角形状に形成されている。
【０１４３】
前側リブ７１ａは、仕切壁部７１における連絡面部８４よりも車体上方側に突出した部分で構成され、上側接合面部６９の後縁部と連絡面部８４の前縁部とに跨がって設けられている。前側リブ７１ａの下端部は、車体幅方向において連絡面部８４の前縁部の略全幅に亘って設けられている。
【０１４４】
後側リブ９２ａは、後壁部９２における連絡面部８４よりも車体上方側に突出した部分で構成され、後側接合面部９４の前縁部と連絡面部８４の後縁部とに跨がって設けられている。後側リブ９２ａは、車体幅方向において連絡面部８４の後縁部の略全幅に亘って設けられている。
【０１４５】
後側荷重伝達部８５は、連絡面部８４の車体幅方向外側縁部から車体上方側に延びるように設けられている。後側荷重伝達部８５は、上側接合面部６９の後縁部から車体幅方向内側に延びる前面部８６、前面部８６の車体幅方向内側縁部から車体後方側に延びる側面部８７、及び、側面部８７の後縁部から車体幅方向外側に延びる後面部８８を有する。後面部８８の車体幅方向外側縁部は、後側接合面部９４の前縁部に連なっている。
【０１４６】
前面部８６は、車体幅方向外側に向かって車体前方側に傾斜して配置されている。後面部８８は、車体幅方向外側に向かって車体後方側に傾斜して配置されている。側面部８７と前面部８６との間、及び、側面部８７と後面部８８との間には、それぞれ鈍角のコーナ部が形成されている。これにより、後側荷重伝達部８５の断面形状は、車体幅方向外側に向かって拡開したハット形状となっている。このように、後側荷重伝達部８５では、車体幅方向外側に向かって開放した開断面が車体上下方向に連続して形成されている。
【０１４７】
なお、後側荷重伝達部８５で形成される断面部は、必ずしも開断面でなくてもよく、後側荷重伝達部８５の一部又は全体において、サスペンションハウジング５０と例えばホイールハウスインナ２６等の別部材との間に閉断面が形成されるようにしてもよいし、サスペンションハウジング５０単体で閉断面が形成されるようにしてもよい。
【０１４８】
図１３及び図１４に示すように、後側荷重伝達部８５は、ホイールハウスインナ２６の荷重伝達部２７の下端部の車室内側の面に重ねて配置されている。図１５に示すように、後側荷重伝達部８５の断面形状は、荷重伝達部２７の車室内側の面に沿った形状である。後側荷重伝達部８５の前面部８６、側面部８７、及び後面部８８は、荷重伝達部２７の下端部における前面部２７ａ、側面部２７ｂ、及び後面部２７ｃの車室内側の面にそれぞれ接している。これにより、後側荷重伝達部８５は、荷重伝達部２７の下端部に連結されている。
【０１４９】
後側荷重伝達部８５の前縁部は上記の前側リブ７１ａを介して、後側荷重伝達部８５の後縁部は上記の後側リブ９２ａを介して、それぞれ連絡面部８４に連結されている。これにより、連絡面部８４の面剛性の向上が図られつつ、後側荷重伝達部８５の断面変形が抑制されている。
【０１５０】
また、後側荷重伝達部８５の前面部８６の前縁部は、前側リブ７１ａの車体幅方向外側縁部と一体化されることで、後面部８８の後縁部は、後側リブ９２ａの車体幅方向外側縁部と一体化されることで、それぞれ厚肉に形成されている。これにより、前面部８６及び後面部８８の面剛性が高められている。
【０１５１】
さらに、後側荷重伝達部８５の側面部８７は、前側リブ７１ａ及び後側リブ９２ａと共に、車体幅方向内側に開放した開断面を形成している。これら側面部８７、前側リブ７１ａ、及び後側リブ９２ａからなる開断面は、後側荷重伝達部８５の開断面と一体となって、車体上下方向に連続している。これにより、前後のリブ７１ａ，９２ａは、後側荷重伝達部８５と共に、連絡面部８４から車体上方側への荷重伝達機能を果たし得る。
【０１５２】
また、後側荷重伝達部８５は、前後一対のリブ７１ａ，９２ａによって車体幅方向内側から支持されていることにより、連絡面部８４に対して後側荷重伝達部８５が車体幅方向内側に倒れるような変形が効果的に抑制されている。そのため、ホイールハウスインナ２６の荷重伝達部２７に対する後側荷重伝達部８５の連結状態が良好に維持されやすくなっている。
【０１５３】
図１１に示すように、サスペンションハウジング５０は、後側荷重伝達部８５の車体前方側に隣接する接合部Ｒ１と、後側荷重伝達部８５の車体後方側に隣接する接合部Ｒ５において、例えばＳＰＲによってホイールハウスインナ２６に接合されている。これにより、ホイールハウスインナ２６の荷重伝達部２７の下端部に対する後側荷重伝達部８５の相対変位が効果的に抑制されていることで、荷重伝達部２７の下端部に対する後側荷重伝達部８５の連結状態が良好に維持されている。
【０１５４】
以上のように、サスペンションハウジング５０の支持面部５２は、連絡面部８４及び後側荷重伝達部８５を介して、ホイールハウスインナ２６の荷重伝達部２７に連結されている。したがって、サスペンション４０からサスペンションハウジング５０の支持面部５２に入力された荷重は、連絡面部８４及び後側荷重伝達部８５を経由してホイールハウスインナ２６の荷重伝達部２７に効果的に伝達される。
【０１５５】
また、連絡面部８４及び後側荷重伝達部８５は、下側延長部９０によって車体下方側から支持されていることにより、連絡面部８４の変形及び後側荷重伝達部８５の変位が効果的に抑制されている。そのため、支持面部５２から連絡面部８４及び後側荷重伝達部８５を経由したホイールハウスインナ２６の荷重伝達部２７への荷重伝達を効果的に実現できるようになっている。
【０１５６】
さらに、図１６に示すように、ホイールハウスインナ２６の荷重伝達部２７は、サスペンションハウジング５０の後側荷重伝達部８５と、ホイールハウス２４から車体上方側に延びる前述の外側補強部材３４の下端部とを連結している。したがって、サスペンションハウジング５０からホイールハウスインナ２６の荷重伝達部２７に伝達された荷重は、外側補強部材３４を経由して車体の上方側に効果的に伝達される。
【０１５７】
［作用効果］
以上のように構成されたサスペンションハウジング５０では、後輪のバンプ時において、サスペンション４０のダンパ４１から支持面部５２に入力された荷重、及び、サスペンション４０のコイルスプリング４４からスプリング受部７２に入力された荷重は、前側荷重伝達部８０及びブレース部７７を経由してクロスメンバ５やサイドフレーム６等の車体下部に伝達されると共に、後側荷重伝達部８５等を経由して車体上部に伝達されることで、車体後部の各部に効果的に分散される。
【０１５８】
サスペンションハウジング５０における荷重伝達に関して、より具体的には、支持面部５２に入力された荷重は、前側荷重伝達部８０を経由してブレース部７７に伝達されるとともに、連絡面部８４を経由して後側荷重伝達部８５に伝達される。
【０１５９】
また、スプリング受部７２に入力された荷重は、周壁部６２、前壁部６３、後壁部６４、及び縦壁部６０を経由して支持面部５２に伝達されるとともに、中段床部５９を経由して前側荷重伝達部８０及び下側延長部９０にも伝達され得る。スプリング受部７２から中段床部５９を経由して下側延長部９０に伝達された荷重は、その車体上方側に連なる後側荷重伝達部８５に伝達され得る。
【０１６０】
支持面部５２及びスプリング受部７２から後側荷重伝達部８５に伝達された荷重は、その車体上方側に連結されたホイールハウス２４の荷重伝達部２７、及び、更にその車体上方側に連結された外側補強部材３４を経由して、Ｄピラー１４等の車体上部に伝達される。
【０１６１】
したがって、サスペンション４０のダンパ４１及びコイルスプリング４４から、サスペンションハウジング５０の支持面部５２及びスプリング受部７２に、車体幅方向の内向きの成分を含む荷重が入力されても、この荷重による応力が支持面部５２及びスプリング受部７２に集中することが抑制されることで、サスペンションハウジング５０が車室内側に倒れるような変形（内倒れ変形）を効果的に抑制することができる。
【０１６２】
さらに、スプリング受部７２が連結部材１０１，１０２を介してサイドフレーム６に連結されていることにより、スプリング受部７２とサイドフレーム６の挙動の一体化が図られているため、後輪のバンプ時において、サイドフレーム６に対するスプリング受部７２の相対変位が抑制されることで、サスペンションハウジング５０の内倒れ変形をより効果的に抑制することができる。
【０１６３】
［変形例］
図１７には、変形例に係るサスペンションハウジング２５０が示されている。なお、図１７において、図１〜図１６に示す上述のサスペンションハウジング５０の構成要素と同じものについては、図１〜図１６と同じ符号が付されている。また、図１７では、サスペンション４０の図示が省略されているが、上記と同様のサスペンション４０が上記と同様にサスペンションハウジング２５０に支持されている。
【０１６４】
図１７に示すサスペンションハウジング２５０には、上述の下側接合面部５８に代えて、より車体下方側に延長された下側接合面部２５８が設けられており、該下側接合面部２５８は、サイドフレーム６の車体幅方向外側の面に例えばＳＰＲによって接合されている。
【０１６５】
また、サスペンションハウジング２５０には、スプリング受部７２をサイドフレーム６に連結させる連結部２０１，２０２が一体に設けられている。連結部２０１，２０２は、例えば、車体前後方向に間隔を空けて前後一対設けられている。各連結部２０１，２０２は、車体前後方向に交差するように配置された例えば三角形状のリブ状部であり、スプリング受部７２と下側接合面部２５８とに跨がって設けられている。
【０１６６】
このように構成されたサスペンションハウジング２５０によっても、スプリング受部７２は、連結部２０１，２０２及び下側接合面部２５８を介してサイドフレーム６に連結されていることにより、サスペンション４０から荷重を受けたときの挙動がサイドフレーム６と一体化され、これにより、サスペンションハウジング２５０の内倒れを効果的に抑制できる。
【０１６７】
また、連結部２０１，２０２がサスペンションハウジング２５０に一体化されていることにより、サスペンションハウジングとは別体の連結部材１０１，１０２（図１２参照）を省略することができるため、部品点数及び組付工数の低減を図ることができる。
【０１６８】
以上、上述の実施形態を挙げて本発明を説明したが、本発明は上述の実施形態に限定されるものではない。
【０１６９】
例えば、上述の実施形態では、サスペンションハウジング５０において、支持面部５２からブレース部７７へ荷重を伝達する前側荷重伝達部８０が、車体幅方向外側に開放した断面Ｌ字状の開断面部（図１０参照）である例を説明したが、前側荷重伝達部８０の断面形状は特に限定されるものでなく、例えば、車体幅方向内側に開放した開断面状、又は閉断面状であってもよい。
【０１７０】
さらに、上述の実施形態では、サスペンションハウジング５０がアルミニウム合金製である例を説明したが、サスペンションハウジング５０の材料は、特に限定されるものでなく、例えば、アルミニウム合金以外の金属材料、又はＣＦＲＰ（炭素繊維強化プラスチック）等であってもよい。また、サスペンションハウジング５０は、必ずしもダイカスト成形品でなくてもよく、例えば、鋳造品、鍛造品、又はプレス成形品であってもよい。さらに、サスペンションハウジング５０は、必ずしも全体が一体に成形されなくてもよく、複数の部材を接合して形成されたものであってもよい。
【０１７１】
さらに、上述の実施形態において、ホイールハウス２４の荷重伝達部２７は、ホイールハウスインナ２６で構成されているが（図１３〜図１６参照）、荷重伝達部２７は、ホイールハウスインナ２６とこれに取り付けられた別部材とで構成されてもよいし、ホイールハウスインナ２６に取り付けられた部材のみで構成されてもよい。また、上述の実施形態において、荷重伝達部２７は、全長に亘って開断面状に形成されているが、荷重伝達部２７の一部又は全体は、閉断面状に形成されてもよい。
【産業上の利用可能性】
【０１７２】
以上のように、本発明によれば、サスペンションのダンパとスプリングをサスペンションハウジングに支持させつつ、該サスペンションハウジングの内倒れ変形を効果的に抑制し得る後部車体構造が提供されることから、この種の車体構造を有する自動車の製造産業分野において好適に利用される可能性がある。
【符号の説明】
【０１７３】
１                自動車
２                フロアパネル
５                クロスメンバ
６                サイドフレーム
１０              ルーフサイドレール
１２              Ｃピラー
１４              Ｄピラー
２０              サイドパネル
２４              ホイールハウス
２５              ホイールハウスアウタ
２６              ホイールハウスインナ
２７              ホイールハウスの荷重伝達部
３２              アウタピラー部材
３４              外側補強部材
３６              サイドブレース
３８              上側ブレース部材
４０              サスペンション
４１              ダンパ
４２              ピストンロッド
４３              シリンダ
４４              コイルスプリング
４６              シートラバー
４８              バンプストッパ
５０              サスペンションハウジング
５２              支持面部（支持部）
５６              接続部
５８              下側接合面部
５９              中段床部
６０              縦壁部
６２              周壁部
６３              前壁部
６４              後壁部
６７，６８        窪み部
６５，６６        リブ
６９              上側接合面部
７１ａ            リブ
７３，７４，７５  突出部（高剛性部）
７７              ブレース部
７８，７９        補強リブ
８０              前側荷重伝達部
８１              連結面部
８２              側面部
８４              連絡面部
８５              後側荷重伝達部
９０              下側延長部
９１ａ            リブ
１０１，１０２    連結部材（連結部）
２０１，２０２    連結部
２５０            サスペンションハウジング
２５８            下側接合面部
【図１】
2018162038.tif 000003
【図２】
2018162038.tif 000004
【図３】
2018162038.tif 000005
【図４】
2018162038.tif 000006
【図５】
2018162038.tif 000007
【図６】
2018162038.tif 000008
【図７】
2018162038.tif 000009
【図８】
2018162038.tif 000010
【図９】
2018162038.tif 000011
【図１０】
2018162038.tif 000012
【図１１】
2018162038.tif 000013
【図１２】
2018162038.tif 000014
【図１３】
2018162038.tif 000015
【図１４】
2018162038.tif 000016
【図１５】
2018162038.tif 000017
【図１６】
2018162038.tif 000018
【図１７】
2018162038.tif 000019